(57)【特許請求の範囲】
【請求項１】
ユーザの識別子を取得するユーザ識別子取得部と、
各々機能を表示する複数の機能表示要素を、原稿に表示されている、言語を示す情報と対応付けられている、前記ユーザによる選択回数が多い順に配置して、機能表示要素選択画面を構成する機能表示要素配置部と
を備える情報処理装置。
【請求項２】
前記機能表示要素配置部は、前記複数の機能表示要素のうちいずれかの機能表示要素について、予め定められた位置から移動しないように設定がなされた場合には、前記複数の機能表示要素のうち当該設定がなされていないものについて、前記選択回数が多い順に配置を行うことを特徴とする請求項１に記載の情報処理装置。
【請求項３】
コンピュータを、
ユーザの識別子を取得するユーザ識別子取得部と、
各々機能を表示する複数の機能表示要素を、原稿に表示されている、言語を示す情報と対応付けられている、前記ユーザによる選択回数が多い順に配置して、機能表示要素選択画面を構成する機能表示要素配置部
として機能させるためのプログラム。
【発明の詳細な説明】
【技術分野】
【０００１】
本発明は、情報処理装置及びプログラムに関する。
【背景技術】
【０００２】
従来、ユーザの利用状況に応じて、利用しやすいユーザインタフェースを実現するための技術が提案されている。例えば、特許文献１では、表示手段に表示される機能選択アイコンをユーザが入力手段で指定することで、指定された機能選択アイコンに対応する処理が実行される情報処理装置において、機能選択アイコンが入力手段で指定された指定回数に基づいて、当該機能選択アイコンを拡大するアイコン拡大処理を実行するという技術が提案されている。
【先行技術文献】
【特許文献】
【０００３】
【特許文献１】特開２０１２−２１６１９４号公報
【発明の概要】
【発明が解決しようとする課題】
【０００４】
本発明は、装置の機能を表示する機能表示要素を、各ユーザの使用状況に応じて配置することを目的とする。
【課題を解決するための手段】
【０００５】
上記の課題を解決するため、本発明の請求項１に係る情報処理装置は、ユーザの識別子を取得するユーザ識別子取得部と、各々機能を表示する複数の機能表示要素を、原稿に表示されている、言語を示す情報と対応付けられている、前記ユーザによる選択回数が多い順に配置して、機能表示要素選択画面を構成する機能表示要素配置部とを備える。
【０００６】
本発明の請求項２に係る情報処理装置は、請求項１に記載の構成において、前記複数の機能表示要素のうちいずれかの機能表示要素について、予め定められた位置から移動しないように設定がなされた場合には、前記複数の機能表示要素のうち当該設定がなされていないものについて、前記選択回数が多い順に配置を行うことを特徴とする。
【００１０】
本発明の請求項３に係るプログラムは、コンピュータを、ユーザの識別子を取得するユーザ識別子取得部と、各々機能を表示する複数の機能表示要素を、原稿に表示されている、言語を示す情報と対応付けられている、前記ユーザによる選択回数が多い順に配置して、機能表示要素選択画面を構成する機能表示要素配置部として機能させるためのプログラムである。
【発明の効果】
【００１１】
請求項１又は３に係る発明によれば、装置の機能を表示する機能表示要素を、各ユーザの使用状況に応じて配置することができる。
請求項２に係る発明によれば、一部の機能表示要素については、使用状況によらずに固定的に配置することができる。
【図面の簡単な説明】
【００１２】
【図１】画像形成装置１の構成の一例を示す図である。
【図２】アイコン情報テーブル１２１のデータ構成の一例を示す図である。
【図３】メニュー画面におけるアイコンの配置パターンの一例を示す図である。
【図４】制御部１１により実現される機能の構成の一例を示すブロック図である。
【図５】メニュー画面表示処理の一例を示すフローチャートである。
【図６】表示部１４に表示されるメニュー画面の一例である。
【図７】制御部１１により実現される機能の構成の一例を示すブロック図である。
【図８】制御部１１により実現される機能の構成の一例を示すブロック図である。
【図９】制御部１１により実現される機能の構成の一例を示すブロック図である。
【図１０】メニュー画面におけるアイコンの配置パターンの一例を示す図である。
【発明を実施するための形態】
【００１３】
以下、本発明の実施の形態について図面を参照しつつ説明する。
１．実施形態
１−１．構成
図１は、本発明の一実施形態に係る画像形成装置１の構成の一例を示す図である。画像形成装置１は、制御部１１と、記憶部１２と、操作部１３と、表示部１４と、通信部１５と、画像読取部１６と、画像形成部１７と、ＦＡＸ部１８と、カードリーダ部１９とを有する。この画像形成装置１は、本発明に係る「情報処理装置」の一例である。
【００１４】
制御部１１は、ＣＰＵ（Central Processing Unit）と、ＲＯＭ（Read Only Memory）と、ＲＡＭ（Random Access Memory）とを備える。ＣＰＵがＲＯＭ又は記憶部１２からＲＡＭ上にプログラムをロードして実行することにより、画像形成装置１の各部が制御される。
【００１５】
記憶部１２は、ＨＤＤ（Hard Disk Drive）等の記憶装置である。記憶部１２は、ＣＰＵにより読み出されるプログラムやデータを記憶する。また、記憶部１２は、アイコン情報テーブル１２１を記憶する。このアイコン情報テーブル１２１は、メニュー画面に表示されるアイコンについての情報を格納するためのテーブルである。ここで、アイコンとは本発明に係る「機能を表示する機能表示要素」の一例である。また、メニュー画面は、本発明に係る「機能表示要素選択画面」の一例である。アイコン情報テーブル１２１は、ユーザごとに作成され、各ユーザの識別子であるユーザＩＤと対応づけられて記憶される。
【００１６】
図２は、アイコン情報テーブル１２１のデータ構成の一例を示す図である。このアイコン情報テーブル１２１を構成する各レコードは、アイコンＩＤと、アイコン種別と、選択回数と、表示位置の各フィールドにより構成される。
【００１７】
アイコンＩＤは、アイコンの識別子である。アイコン種別は、アイコンが、その表示位置が可変であるアイコンであるか固定のアイコンであるかを示す情報である。図２に示されるアイコン種別「可変」は、そのアイコンの表示位置が可変であることを示し、アイコン種別「固定」は、そのアイコンの表示位置が固定されていることを示している。なお、以下の説明において、そのアイコン種別が「可変」であるアイコンを「可変アイコン」と呼び、そのアイコン種別が「固定」であるアイコンを「固定アイコン」と呼ぶ。
【００１８】
選択回数は、そのアイコンがユーザにより選択された回数である。選択回数は、そのアイコンが選択されるたびに加算される。選択回数は、図２に示されるように、可変アイコンについてのみ記録される。これは、固定アイコンについては選択回数に応じてその表示位置が変更されないからである。
【００１９】
表示位置は、メニュー画面においてアイコンが表示される位置である。表示位置は、図２に示されるように、固定アイコンについてのみ記録される。これは、可変アイコンについては、後述するメニュー画面表示処理により、その選択回数に応じてその表示位置が変更されるからである。
【００２０】
図３は、メニュー画面におけるアイコンの配置パターンの一例を示す図である。同図において表示位置Ｐ１〜Ｐ１２は、それぞれアイコンが配置される位置である。表示位置Ｐ１〜Ｐ９には可変アイコンが配置され、２点鎖線Ｌにより囲まれる表示位置Ｐ１０〜Ｐ１２には固定アイコンが配置される。表示位置Ｐ１〜Ｐ９の各々に配置される可変アイコンは、可変アイコンの選択回数に基づいて決定される。選択回数の多い可変アイコンほど、その識別番号が小さい表示位置に配置される。例えば、その選択回数が最多の可変アイコンは表示位置Ｐ１に配置され、その選択回数が最小の可変アイコンは表示位置Ｐ９に配置される。換言すると、選択回数の多い可変アイコンほど、ユーザによって選択しやすい位置に配置される。
【００２１】
表示位置Ｐ１０〜Ｐ１２に配置される固定アイコンは、ユーザにより任意に決定される。表示位置Ｐ１０〜Ｐ１２には例えば、利用頻度は低いがその機能の重要性が高いアイコンが固定アイコンとして配置される。アイコン情報テーブル１２１の「表示位置」のフィールドには、表示位置Ｐ１０〜Ｐ１２のいずれかの識別子が格納される。
【００２２】
次に、操作部１３は、タッチセンサやキー等の入力装置である。操作部１３は、例えば、ユーザによるアイコンの選択を受け付ける。
【００２３】
表示部１４は、液晶ディスプレイ等の表示装置である。表示部１４は、例えば、メニュー画面を表示する。
【００２４】
通信部１５は、データ通信カード等の通信インタフェースである。通信部１５は、通信回線を介して図示せぬ外部装置と通信を行う。
【００２５】
画像読取部１６は、スキャナである。画像読取部１６は、例えば、図示せぬ原稿台に置かれた原稿の画像を光学的に読み取って、読み取った画像のデータを制御部１１に出力する。
【００２６】
画像形成部１７は、電子写真方式で記録媒体に画像を形成する。画像形成部１７は、例えば、画像読取部１６によって読み取られた原稿の画像を記録媒体に形成する。また、画像形成部１７は、通信部１５を介して受信された画像データに基づいて記録媒体に画像を形成する。
【００２７】
ＦＡＸ部１８は、通信回線を介して他の装置との間で画像データを送受信する。ＦＡＸ部１８は、例えば、画像読取部１６によって読み取られた原稿の画像データを通信回線を介して他の装置に送信する。
【００２８】
カードリーダ部１９は、ユーザによってかざされたＩＣ（Integrated Circuit）カードからユーザＩＤを読み取って、制御部１１に出力する。ここで、画像形成装置１のユーザは、それぞれ自身のユーザＩＤを記録したＩＣカードを携帯し、画像形成装置１を利用する際にはユーザ認証のために自己のＩＣカードをカードリーダ部１９にかざす。
【００２９】
次に、図４は、制御部１１により実現される機能の構成の一例を示すブロック図である。制御部１１は、ＲＯＭ又は記憶部１２に記憶されるプログラムを実行することにより、ユーザＩＤ取得部１１１と、テーブル読出部１１２と、アイコン配置部１１３と、表示制御部１１４と、選択回数記録部１１５という機能を実現する。
【００３０】
ユーザＩＤ取得部１１１は、ユーザの識別子であるユーザＩＤを取得する。このユーザＩＤ取得部１１１は、本発明に係る「ユーザ識別子取得部」の一例である。
【００３１】
テーブル読出部１１２は、ユーザＩＤ取得部１１１により取得されたユーザＩＤに対応づけられたアイコン情報テーブル１２１を記憶部１２から読み出す。換言すると、テーブル読出部１１２は、複数のアイコンの各々について、ユーザによって選択された選択回数であって、ユーザＩＤ取得部１１１により取得されたユーザＩＤと対応づけられた選択回数を特定する。
【００３２】
アイコン配置部１１３は、テーブル読出部１１２により読み出されたアイコン情報テーブル１２１を参照して、メニュー画面にアイコンを配置する。具体的にはアイコン配置部１１３は、テーブル読出部１１２により特定された選択回数に基づいて、その選択回数が多い順に複数の可変アイコンを配置して、メニュー画面を構成する。また、アイコン配置部１１３は、固定アイコンを、アイコン情報テーブル１２１において設定されている表示位置に配置する。アイコン配置部１１３は、複数の可変アイコンのうちいずれかの可変アイコンについて、固定アイコンに変更がなされた場合には、その可変アイコンを除く複数の可変アイコンについて、選択回数が多い順に配置を行う。このアイコン配置部１１３は、本発明に係る「機能表示要素配置部」の一例である。
【００３３】
表示制御部１１４は、アイコン配置部１１３により構成されたメニュー画面を表示部１４に表示させる。
【００３４】
選択回数記録部１１５は、メニュー画面において可変アイコンがユーザにより選択されると、テーブル読出部１１２により読み出されたアイコン情報テーブル１２１において、選択された可変アイコンの選択回数を加算する。
【００３５】
１−２．動作
次に、画像形成装置１の動作について説明する。具体的には、メニュー画面表示処理について説明する。この処理は、例えば、カードリーダ部１９によりＩＣカードからユーザＩＤが読み取られ、このユーザＩＤを用いたユーザ認証に成功すると実行される。なお、ユーザ認証は、例えば、ＩＣカードから読み取られたユーザＩＤと、記憶部１２に予め記憶されているユーザＩＤとを照合することにより行われる。
【００３６】
図５は、メニュー画面表示処理の一例を示すフローチャートである。本処理のステップＳａ１において制御部１１のユーザＩＤ取得部１１１は、カードリーダ部１９により読み取られたユーザＩＤを取得する。
【００３７】
次に、制御部１１のテーブル読出部１１２は、ステップＳａ１において取得されたユーザＩＤに対応づけられたアイコン情報テーブル１２１を記憶部１２から読み出す（ステップＳａ２）。本説明では、図２に示されるアイコン情報テーブル１２１が読み出されたものとする。
【００３８】
次に、制御部１１のアイコン配置部１１３は、ステップＳａ２において読み出されたアイコン情報テーブル１２１を参照して、メニュー画面にアイコンを配置する（ステップＳａ３）。具体的にはアイコン配置部１１３は、その選択回数が多い順に、メニュー画面の表示位置Ｐ１〜Ｐ９（図３参照）に対して可変アイコンを配置する。その際、選択回数が同数の可変アイコンが存在する場合には、例えば、その識別番号の昇順に可変アイコンを配置してもよい。また、アイコン配置部１１３は、固定アイコンを、アイコン情報テーブル１２１において設定されている表示位置に配置する。
【００３９】
次に、制御部１１の表示制御部１１４は、ステップＳａ３の結果、アイコンが配置されたメニュー画面を表示部１４に表示させる（ステップＳａ４）。図６は、表示部１４に表示されるメニュー画面の一例である。このメニュー画面は、図２に示されるアイコン情報テーブル１２１に基づいてアイコンが配置されたメニュー画面の一例である。このメニュー画面では、メニュー画面の表示位置Ｐ１〜Ｐ９に対して、選択回数の多い順に、すなわち、「Ｉ２」、「Ｉ９」、「Ｉ５」、「Ｉ１２」、「Ｉ４」、「Ｉ６」、「Ｉ８」、「Ｉ１０」、「Ｉ７」の順に可変アイコンが配置されている。また、メニュー画面の表示位置Ｐ１０〜Ｐ１２の各々に対して、固定アイコン「Ｉ１１」、「Ｉ３」、「Ｉ１」が配置されている。
【００４０】
図６に示されるようにメニュー画面が表示部１４に表示されている状態においていずれかのアイコンがユーザによって選択されると（ステップＳａ５：ＹＥＳ）、制御部１１は、当該選択されたアイコンが可変アイコンであるのか固定アイコンであるのかを判定する（ステップＳａ６）。この判定の結果、選択されたアイコンが可変アイコンであった場合には（ステップＳａ６：ＹＥＳ）、制御部１１の選択回数記録部１１５は、ステップＳａ２において読み出されたアイコン情報テーブル１２１において、選択された可変アイコンの選択回数を加算する（ステップＳａ７）。そして、制御部１１の表示制御部１１４は、選択された可変アイコンに対応する画面を表示部１４に表示させる（ステップＳａ８）。一方、ステップＳａ６の判定の結果、選択されたアイコンが固定アイコンであった場合には（ステップＳａ６：ＮＯ）、選択回数を記録する必要がないため、ステップＳａ７はスキップされ、ステップＳａ８において表示制御部１１４が、選択された固定アイコンに対応する画面を表示部１４に表示させる。
以上が、メニュー画面表示処理についての説明である。
【００４１】
以上説明した本実施形態によれば、メニュー画面に表示される各可変アイコンの選択回数が記録され、その選択回数の多い順に、ユーザにとってより選択しやすい位置に可変アイコンが配置される。選択回数の記録と可変アイコンの配置の処理はバックグラウンドで実行され、ユーザがマニュアルでアイコンの配置をカスタマイズせずとも、アイコンの使用状況に応じた可変アイコンの配置が実現される。
【００４２】
また、本実施形態によれば、利用頻度は低いがその機能の重要性が高いアイコンについては固定アイコンとして設定される。よって、その利用頻度が低い結果、その機能の重要性の高いにもかかわらず、他のアイコンよりも劣位にそのアイコンが配置されてしまうといった事態が回避される。
【００４３】
また、本実施形態によれば、ユーザごとにアイコン情報テーブル１２１が生成され、メニュー画面が表示される際には、ユーザに対応するアイコン情報テーブル１２１に基づいてアイコンが配置される。よって、各ユーザの使用状況に応じた可変アイコンの配置が実現される。また、ユーザごとの固定アイコンの設定が実現される。
【００４４】
２．変形例
上記の実施形態は下記のように変形してもよい。また、下記の変形例は他の１以上の変形例と組み合わせてもよい。
【００４５】
２−１．変形例１
上記の実施形態においてアイコン情報テーブル１２１に記録される各アイコンの選択回数は、予め定められた期間（例えば、１ヶ月や１年）ごとにリセットされてもよい。選択回数を予め定められた期間ごとにリセットすることにより、アイコンの最近の使用状況に応じた可変アイコンの配置が実現される。または、リセットされない選択回数（通算選択回数）と、予め定められた期間ごとにリセットされる選択回数（期毎選択回数）の両方を各アイコンと対応づけて記録しておき、図示せぬ設定画面において予めユーザに選択されていた選択回数に基づいて、アイコンの配置（図５のステップＳａ３参照）を行うようにしてもよい。
【００４６】
２−２．変形例２
上記の実施形態において可変アイコンがユーザによって選択された場合に（図５のステップＳａ７参照）、その可変アイコンが重要性の高い機能を示すものであったときには、選択回数の増分を他のアイコンと比較して増加させてもよい。例えば、他のアイコンであれば「１」だけ増加させるところを、重要性の高い機能のアイコンについては「３」増加させるようにしてもよい。このように重要性の高い機能のアイコンについて選択回数の重み付けを行うことにより、仮にそのアイコンの利用頻度が低かったとしても、他のアイコンよりも劣位に配置されてしまうといった事態が回避される。なお、選択回数の重み付けを行うべきアイコンと、増分の値については、図示せぬ設定画面において予めユーザによって設定されてよい。例えば、アイコンの作成日時が古い順又は新しい順に、各アイコンについて増分の値が大きくなるように設定がされてもよい。
【００４７】
２−３．変形例３
上記の実施形態において、新たに画像形成装置１に追加された機能を示すアイコン（以下、「新機能アイコン」という。）を、ユーザにとって選択しやすい位置に配置するようにしてもよい。例えば、可変アイコンや固定アイコンを表示するための領域とは別に、新機能アイコンを表示するための領域（例えば、図３に示される表示位置Ｐ１やＰ１０）を別途確保し、この領域に新機能アイコンを配置するようにしてもよい。このように新機能アイコンをユーザにとって選択しやすい位置に配置することにより、利用頻度が低い新機能アイコンでもユーザにとって視認しやすくなる。
【００４８】
なお、新機能アイコンを選択しやすい位置に配置する期間は、予め定められた猶予期間（例えば、１週間）に限定され、猶予期間の経過後は、通常の可変アイコンと同様に、選択回数の多寡に応じて配置される（図５のステップＳａ３参照）。
【００４９】
２−４．変形例４
上記の実施形態においてアイコン情報テーブル１２１は、ユーザＩＤに加えて又は代えて日時情報と対応づけられて記憶部１２に記憶されてもよい。ここで日時情報とは、例えば、月、週、日、曜日又は時刻を示す情報である。月単位でアイコン情報テーブル１２１を生成する場合には、繁忙期、年末、年始、年度末、季節といった期間には、その期間に多く選択される可変アイコンが選択しやすい位置に配置される。週単位でアイコン情報テーブル１２１を生成する場合には、月初や月末といった期間には、その期間に多く選択される可変アイコンが選択しやすい位置に配置される。日単位でアイコン情報テーブル１２１を生成する場合には、週初め、週末、定時退社日といった期間には、その期間に多く選択される可変アイコンが選択しやすい位置に配置される。時刻単位でアイコン情報テーブル１２１を生成する場合には、始業時間帯や就業時間帯といった期間において、その期間に多く選択される可変アイコンが選択しやすい位置に配置される。
【００５０】
図７は、本変形例が採用された場合に制御部１１により実現される機能の構成の一例を示すブロック図である。このブロック図では、日時特定部１１６が追加されている。この日時特定部１１６は、例えば、画像形成装置１に内蔵される時計を参照して現在日時を特定する。日時特定部１１６により特定された現在日時はテーブル読出部１１２に通知され、テーブル読出部１１２は、ユーザＩＤと現在日時とに対応づけられたアイコン情報テーブル１２１を記憶部１２から読み出す。換言すると、テーブル読出部１１２は、メニュー画面に表示される複数の可変アイコンの各々について、ユーザＩＤと現在日時とに対応づけられた選択回数を特定する。この結果、アイコン配置部１１３は、日時に応じて複数の可変アイコンの配置を行う。また、選択回数記録部１１５は、ユーザＩＤと現在日時とに対応づけられたアイコン情報テーブル１２１において、ユーザにより選択された可変アイコンの選択回数を加算する。
以上説明した本変形例によれば、現在日時における使用状況に応じた可変アイコン及び固定アイコンの配置が実現される。
【００５１】
２−５．変形例５
上記の実施形態に係る画像形成装置１は、本発明に係る情報処理装置の一例であり、本発明は他の情報処理装置として実現されてもよい。例えば、本発明は、画像形成装置１から、画像読取部１６と、画像形成部１７と、ＦＡＸ部１８とを取り除き、ユーザにより携帯可能な通信端末１Ａとして実現されてもよい。通信端末１Ａは、例えば、スマートフォンや、携帯電話機や、タブレット端末である。
【００５２】
この場合、上記の実施形態に係るアイコン情報テーブル１２１は、ユーザＩＤに加えて又は代えて位置情報と対応づけられて通信端末１Ａの記憶部１２に記憶されてもよい。ここで位置情報とは、通信端末１Ａの現在位置を示す情報であり、具体的には例えば、ユーザの自宅や勤務先を示す情報である。各位置情報は、例えば、緯度経度や基地局のエリア情報により表される。
【００５３】
図８は、本変形例が採用された場合に通信端末１Ａの制御部１１により実現される機能の構成の一例を示すブロック図である。このブロック図では、位置特定部１１７が追加されている。この位置特定部１１７は、例えば、通信端末１Ａに搭載されるＧＮＳＳ（Global Navigation Satellite System）受信機により受信された電波に基づいて通信端末１Ａの現在位置を特定する。位置特定部１１７により特定された現在位置はテーブル読出部１１２に通知され、テーブル読出部１１２は、ユーザＩＤと現在位置とに対応づけられたアイコン情報テーブル１２１を記憶部１２から読み出す。換言すると、テーブル読出部１１２は、メニュー画面に表示される複数の可変アイコンの各々について、ユーザＩＤと現在位置とに対応づけられた選択回数を特定する。この結果、アイコン配置部１１３は、通信端末１Ａの位置（又は、ユーザの位置）に応じて複数の可変アイコンの配置を行う。また、選択回数記録部１１５は、ユーザＩＤと現在位置とに対応づけられたアイコン情報テーブル１２１において、ユーザにより選択された可変アイコンの選択回数を加算する。
以上説明した本変形例によれば、現在位置における使用状況に応じた可変アイコン及び固定アイコンの配置が実現される。
【００５４】
２−６．変形例６
上記の実施形態においてアイコン情報テーブル１２１は、ユーザＩＤに加えて又は代えて原稿情報と対応づけられて記憶部１２に記憶されてもよい。ここで原稿情報とは、原稿又は当該原稿に表示される情報を示す情報である。例えば、図示せぬ原稿台に置かれて、画像読取部１６によりその画像が読み取られる原稿又は当該原稿に表示される情報を示す情報である。ここで、画像読取部１６により読み取られ生成された画像データは、画像形成部１７により記録媒体上に形成されたり、ＦＡＸ部１８により他の装置に送信されたりする。
【００５５】
原稿情報は、より具体的には、原稿を識別するコード情報である。コード情報は、例えば、原稿の予め指定された座標の位置に表示される。また、原稿情報は、より具体的には、原稿に表示される情報の種類を示す情報である。例えば、テキスト、写真、テキストと写真の組み合わせといった情報である。または、テキストの言語（例えば、日本語、英語）を示す情報である。また、原稿情報は、より具体的には、原稿に表示される情報のフォーマット（形式）を示す情報である。例えば、企画書、提案書といった情報の形式を示す情報である。また、原稿情報は、より具体的には、用紙の厚さや表面粗さといった紙種を示す情報である。
【００５６】
図９は、本変形例が採用された場合に制御部１１により実現される機能の構成の一例を示すブロック図である。このブロック図では、原稿情報取得部１１８が追加されている。原稿情報取得部１１８は、例えば、画像読取部１６によりプレスキャンされて生成された画像データを解析することにより原稿情報を取得する。または、画像形成装置１に設置される図示せぬカメラにより撮像された原稿の画像データを解析することにより原稿情報を取得する。または、ユーザが携帯する通信端末のカメラにより撮像され、画像形成装置１に送信された原稿の画像データを解析することにより原稿情報を取得する。なお、画像データを解析して原稿情報を取得する方法については周知の技術を用いてよい。
【００５７】
原稿情報取得部１１８により取得された原稿情報はテーブル読出部１１２に通知され、テーブル読出部１１２は、ユーザＩＤと原稿情報とに対応づけられたアイコン情報テーブル１２１を記憶部１２から読み出す。換言すると、テーブル読出部１１２は、メニュー画面に表示される複数の可変アイコンの各々について、ユーザＩＤと原稿情報とに対応づけられた選択回数を特定する。この結果、アイコン配置部１１３は、原稿情報に応じて複数の可変アイコンの配置を行う。また、選択回数記録部１１５は、ユーザＩＤと原稿情報とに対応づけられたアイコン情報テーブル１２１において、ユーザにより選択された可変アイコンの選択回数を加算する。
以上説明した本変形例によれば、処理対象となる原稿を処理する際の使用状況に応じた可変アイコン及び固定アイコンの配置が実現される。
【００５８】
２−７．変形例７
上記の実施形態において、可変アイコンと固定アイコンが配置される表示位置は、図３に示される例に限られない。例えば、可変アイコンが表示位置Ｐ１、Ｐ４及びＰ７に配置される一方で、固定アイコンがその他の表示位置に配置されるようにしてもよい。可変アイコンと固定アイコンの配置パターンは、ユーザごとに異なってもよい。
【００５９】
また、図３に示される配置パターンは、複数の行と複数の列とにより構成されているが、行と列のうち一方を単一としてもよい。
【００６０】
また、メニュー画面を構成するページは複数にわたってもよく、ページが複数にわたる場合には、画面をスクロールすることによって、又は画面を切り替えるためのキーを操作することによって、後続するページを表示するようにしてもよい。この場合、選択回数の多い可変アイコンほど、前の方のページに配置される。
【００６１】
また、メニュー画面の各表示位置に対する識別番号の割当方法は、図３に示される例に限られない。例えば、図１０に示される配置パターンのように、各列の上から下に向かって昇順に識別番号を割り当てるようにしてもよい。配置パターンの選択については、図示せぬ設定画面において予めユーザによって行われてよい。
【００６２】
また、図６に示されるメニュー画面の例は、ユーザ認証後に最初に表示部１４に表示されるメインメニューを示しているが、上記の実施形態又は上記の各変形例に係るメニュー画面表示処理は、他の画面の表示時に実行されてもよい。例えば、メインメニューのアイコンの選択後に表示されるサブメニューの表示時に実行されて、サブメニューに表示される可変アイコンがその選択回数の多い順に配置されてもよい。ここでサブメニューとは、各サービスの詳細機能が表示されるメニュー画面であり、例えば、メインメニューにおいて「コピー」アイコンが選択された場合に表示される、「両面」、「カラーモード」、「まとめて１枚」といった各機能が表示されるメニュー画面のことである。または、サブメニューとは、メインメニューにおいて「ファクス」アイコンが選択された場合に表示される、各種宛先が表示されるメニュー画面のことである。
【００６３】
２−８．変形例８
上記の実施形態では、ユーザＩＤはＩＣカードからカードリーダ部１９によって読み取られて制御部１１に出力されているが、ユーザＩＤの入力方法はこれに限られない。例えば、ユーザＩＤとして指紋情報を用い、タッチセンサにより検出された指紋情報をユーザＩＤとして制御部１１に出力するようにしてもよい。または、ユーザＩＤは、操作部１３を介してユーザにより手入力されてもよい。
【００６４】
２−９．変形例９
上記の実施形態に係る画像形成装置１において蓄積される各可変アイコンについての選択回数情報は、通信回線を介して接続される他の装置に送信されてもよい。この他の装置を操作する管理者は、複数の画像形成装置１から送信されてくる選択回数情報に基づいて、メニュー画面におけるアイコンの配置のカスタマイズを行い、カスタマイズしたアイコンの配置にてメニュー画面を表示するよう各画像形成装置１に対して指示を行ってもよい。ここで、選択回数情報に基づくカスタマイズとは、例えば、送信されてきた選択回数情報に基づいて、選択回数の総計が多い順に、メニュー画面の選択しやすい位置にアイコンを配置するという操作である。
【００６５】
２−１０．変形例１０
上記の実施形態又は上記の変形例において画像形成装置１又は通信端末１Ａの制御部１１により実行されるプログラムは、磁気テープ、磁気ディスク、フレキシブルディスク、光ディスク、光磁気ディスク、メモリ等の記憶媒体に記憶された状態で提供されてもよい。また、当該プログラムは、インターネット等の通信回線を介してダウンロードされてもよい。
【符号の説明】
【００６６】
１…画像形成装置、１１…制御部、１２…記憶部、１３…操作部、１４…表示部、１５…通信部、１６…画像読取部、１７…画像形成部、１８…ＦＡＸ部、１９…カードリーダ部、１１１…ユーザＩＤ取得部、１１２…テーブル読出部、１１３…アイコン配置部、１１４…表示制御部、１１５…選択回数記録部、１１６…日時特定部、１１７…位置特定部、１１８…原稿情報取得部、１２１…アイコン情報テーブル
【図１】
0006435844.tif 000002
【図２】
0006435844.tif 000003
【図３】
0006435844.tif 000004
【図４】
0006435844.tif 000005
【図５】
0006435844.tif 000006
【図６】
0006435844.tif 000007
【図７】
0006435844.tif 000008
【図８】
0006435844.tif 000009
【図９】
0006435844.tif 000010
【図１０】
0006435844.tif 000011